(57)【要約】【課題】火災時に枠体の上枠と框体の上框との間に隙間ができることを防止できる建具を提供する。【解決手段】壁部（躯体）１１に形成された開口部１２に取り付けられる枠体２と、枠体２に設けられた障子と、を有し、枠体２は、左右方向に延びる上枠２１および下枠２２と、上下方向に延びる一対の縦枠と、を有し、上枠２１、下枠２２および一対の縦枠は、それぞれ樹脂枠４と、樹脂枠４の内部に配置された金属製の枠芯材５と、を有し、上枠２１は、樹脂枠４が壁部１１に固定され、枠芯材５が壁部１１に固定されていない。【選択図】図３
2019065499.tif 000002
【特許請求の範囲】
【請求項１】
躯体に形成された開口部に取り付けられる枠体と、前記枠体に設けられた障子と、を有し、
前記枠体は、左右方向に延びる上枠および下枠と、上下方向に延びる一対の縦枠と、を有し、
前記上枠、前記下枠および前記一対の縦枠は、それぞれ樹脂枠と、前記樹脂枠の内部に配置された金属製の枠芯材と、を有し、
前記上枠は、前記樹脂枠が前記躯体に固定され、前記枠芯材が前記躯体に固定されていないことを特徴とする建具。
【請求項２】
前記上枠および前記下枠の前記枠芯材と、前記一対の縦枠の前記枠芯材とは、それぞれ枠芯材連結金具を介して連結されている請求項１に記載の建具。
【発明の詳細な説明】
【技術分野】
【０００１】
本発明は、建具に関する。
【背景技術】
【０００２】
従来、四方枠状の枠体と枠体の内部に設けられる障子とを有する建具において、枠体が樹脂製の樹脂枠と、樹脂枠の内部に設けられた金属製の枠芯材と、を備え、障子の四方枠状の框体が樹脂製の樹脂框と、樹脂框の内部に設けられた金属製の框芯材と、を備える樹脂サッシが知られている（例えば、特許文献１参照）。
【０００３】
このような樹脂サッシの枠体は、枠芯材と連結された躯体固定部材を介して建物の躯体に固定されている。枠体は、上枠、下枠および一対の縦枠それぞれが躯体固定部材を介して躯体に固定されている。
枠体が躯体固定部材を介して躯体に固定されていることにより、火災時に樹脂枠が溶融したとしても枠体が躯体から脱落することを防止することができる。
【先行技術文献】
【特許文献】
【０００４】
【特許文献１】特開２０１６−０９８５３６号公報
【特許文献２】特開２０１６−１４２０２７号公報
【発明の概要】
【発明が解決しようとする課題】
【０００５】
火災時に框体の樹脂框や、下框に設けられた戸車が溶融してしまうと、框体が枠体の内部において下側に下がってしまうことがある。これにより、框体の上框と、枠体の上枠との間に隙間が生じ、この隙間から火災が延焼してしまう虞がある。
このため、火災時に枠体の上枠と框体の上框との間に隙間ができることを防止する必要がある。
【０００６】
そこで本発明は、火災時に枠体の上枠と框体の上框との間に隙間ができることを防止できる建具を提供することを目的とする。
【課題を解決するための手段】
【０００７】
上記目的を達成するため、本発明に係る建具は、躯体に形成された開口部に取り付けられる枠体と、前記枠体に設けられた障子と、を有し、前記枠体は、左右方向に延びる上枠および下枠と、上下方向に延びる一対の縦枠と、を有し、前記上枠、前記下枠および前記一対の縦枠は、それぞれ樹脂枠と、前記樹脂枠の内部に配置された金属製の枠芯材と、を有し、前記上枠および前記下枠の前記枠芯材と、前記一対の縦枠の前記枠芯材とは、それぞれ枠芯材連結金具を介して連結されていて、前記上枠は、前記樹脂枠が前記躯体に固定され、前記枠芯材が前記躯体に固定されていないことを特徴とする。
【０００８】
火災時に、障子の樹脂部分が溶融することなどによって障子が枠体の内部において下がることがある。本発明では、上枠は、樹脂枠が躯体に固定され、枠芯材が躯体に固定されていないことにより、火災時に上枠の樹脂枠が溶融すると、上枠の枠芯材が下側に下がることになる。このため、上枠の枠芯材は障子の上框の上に載った状態となり、上枠の枠芯材と障子の上框との間に隙間ができることを防止することができる。
また、障子が上枠の枠芯材に上側から押さえられるため、障子が枠体から外れるように倒れることを防止することができる。
本発明における左右方向とは、開口部が貫通する方向から見た際の左側と右側を結ぶ水平方向を示している。
【０００９】
また、本発明に係る建具では、前記上枠および前記下枠の前記枠芯材と、前記一対の縦枠の前記枠芯材とは、それぞれ枠芯材連結金具を介して連結されていてもよい。
このような構成とすることにより、上枠の枠芯材が下がった場合でも枠芯材どうしが枠芯材連結金具により枠状に連結されているため、下枠および一対の縦枠から外れて開口部から脱落することを防止することができる。
【発明の効果】
【００１０】
本発明によれば、火災時に枠体の上枠と框体の上框との間に隙間ができることを防止でき、枠体の上枠と框体の上框との間からの延焼を防止することができる。
【図面の簡単な説明】
【００１１】
【図１】本発明の実施形態による建具の一例を示す室内側から見た正面図である。
【図２】本発明の実施形態による建具の枠体の室内側から見た正面図である。
【図３】図２のＡ−Ａ線断面図である。
【図４】図２のＢ−Ｂ線断面図である。
【図５】図２のＣ方向から見た斜視図である。
【図６】図５のＤ−Ｄ線断面図である。
【図７】枠芯材連結金具の斜視図である。
【図８】図２のＥ方向から見た斜視図である。
【図９】図２のＦ方向から見た斜視図である。
【図１０】図９のＧ−Ｇ線断面図である。
【図１１】図２のＨ方向から見た斜視図である。
【発明を実施するための形態】
【００１２】
以下、本発明の実施形態による建具について、図１乃至図１１に基づいて説明する。
図１に示すように、本実施形態による建具１は、引違サッシで建物の壁部１１（躯体）１１に形成された開口部１２に設けられている。
建具１は、開口部１２に沿って設けられた四方枠状の枠体２と、枠体２の内側に左右方向にスライド可能に設けられた一対の障子３，３と、を有している。
以下の説明において、室外側と室内側とを結ぶ方向を室内外方向とし、開口部１２が壁部１１を貫通する方向（壁面１１に対向する方向）から見た際の左側と右側を結ぶ水平方向を左右方向とする。また、建具１を構成する各部材や部品などは、開口部１２に設けられている姿勢であるものとして、その姿勢における室内外方向および左右方向を用いて説明する。
【００１３】
図１および図２に示すように、枠体２は、左右方向に延びる上枠２１および下枠２２と、上下方向に延びて上枠２１および下枠２２と連結された一対の縦枠２３，２３と、を有している。上枠２１、下枠２２および一対の縦枠２３，２３は、互いに略同じ断面に形成されている。
以下の説明では、上枠２１、下枠２２および一対の縦枠２３，２３などの長尺の部材に対してそれぞれが延びる方向を長さ方向とすることがある。
上枠２１、下枠２２および一対の縦枠２３，２３は、それぞれの長さ方向に延びる合成樹脂製の樹脂枠４と、それぞれの長さ方向に延びる金属製の枠芯材５と、を有している。樹脂枠４および枠芯材５は、それぞれの長さ方向全体において略同じ断面形状となるように形成されている。
【００１４】
上枠２１、下枠２２および一対の縦枠２３，２３それぞれの樹脂枠４は、互いに同じ断面に形成されている。樹脂枠４は、例えば押出材で、内部に長さ方向全体にわたって中空部（枠ホロー部Ｓ４１とする）が形成されている。樹脂枠４は、長さ方向の端部４ａがそれぞれ斜め４５°に切断されている。
図３および図４に示すように、枠芯材５は、樹脂枠４の枠ホロー部Ｓ４１に挿入配置されている。図２に示すように、枠芯材５は、樹脂枠４よりも若干短く形成されている。枠芯材５は、長さ方向の端部５ａがそれぞれ樹脂枠４の長さ方向の端部４ａよりも長さ方向の内側となるように配置されている。
【００１５】
上枠２１および下枠２２の樹脂枠４と、一対の縦枠２３，２３の樹脂枠４とは、互いの端部４ａ，４ａを突き合わせて９０°を成すように溶着されている。
上枠２１および下枠２２の枠芯材５と、一対の縦枠２３，２３の枠芯材５とは、直接連結されておらずＬ字形状の枠芯材連結金具６を介して連結されている。
【００１６】
本実施形態では、上枠２１、下枠２２および一対の縦枠２３，２３の壁部１１へ固定構造がそれぞれ異なっている。下枠２２は下枠躯体固定部材７３（図３参照）を用いて壁部１１に固定され、一対の縦枠２３，２３および上枠２１は金具などを用いずに直接壁部１１に固定されている。
【００１７】
図３に示すように、上枠２１の樹脂枠４は、開口部１２の内周面に沿って配置される第１樹脂枠見込み板部４１と、第１樹脂枠見込み板部４１の下側（開口部１２の内側）に間隔をあけて配置された第２樹脂枠見込み板部４２と、第１樹脂枠見込み板部４１の室外側の端部４１ａと第２樹脂枠見込み板部４２の室外側の端部４２ａとを連結するとともに第２樹脂枠見込み板部４２の下側に突出する樹脂枠外板部４３と、第１樹脂枠見込み板部４１の室内側の端部４１ｂと第２樹脂枠見込み板部４２の室内側の端部４２ｂとを連結するとともに第２樹脂枠見込み板部４２の下側に突出する樹脂枠内板部４４と、それぞれ第２樹脂枠見込み板部４２から下側に突出する第１レール部４５および第２レール部４６と、第１樹脂枠見込み板部４１から上側に突出する第１固定ヒレ部４７と、樹脂枠内板部４４から室内側に突出する第２固定ヒレ部４８と、を有している。これらは、樹脂枠４の長さ方向に延びている。
【００１８】
第１樹脂枠見込み板部４１は、板状に形成され、板面が上下方向を向く向きで配置されている。第１樹脂枠見込み板部４１は、室内外方向の室内側の部分が開口部１２の内周面と当接し、室内外方向の室外側の部分が壁部１１よりも室外側に突出している。第１樹脂枠見込み板部４１には、室内外方向の中間部に長さ方向の全長わたって延びて下側に凹んだ溝部４１１が形成されている。
【００１９】
第２樹脂枠見込み板部４２は、板状に形成され、板面が略上下方向を向く向きで第１樹脂枠見込み板部４１の鉛直方向の下側に配置されている。第２樹脂枠見込み板部４２は、室内外方向の寸法が第１樹脂枠見込み板部４１と略同じ寸法に設計されている。
第２樹脂枠見込み板部４２は、室内側から室外側に向かって漸次上側（開口部１２の外側）に向かうように緩く傾斜していて、室内側よりも室外側の方が第１樹脂枠見込み板部４１に近接している。
【００２０】
樹脂枠外板部４３は、板状に形成され、板面が室内外方向を向くように配置されている。樹脂枠外板部４３は、上端部４３ａが第１樹脂枠見込み板部４１の室外側の端部４１ａと接続され、上下方向の中間部が第２樹脂枠見込み板部４２の室外側の端部４２ａと接続され、下部側が第２樹脂枠見込み板部４２よりも下側に突出している。
本実施形態の上枠２１の樹脂枠４には、樹脂枠外板部４３における第２樹脂枠見込み板部４２より下側の位置と、第２樹脂枠見込み板部４２の室外側の端部４２ａよりもやや室内側となる位置とを接続するように設けられた第１接続板部４３１が設けられている。第１接続板部４３１は、樹脂枠外板部４３における第２樹脂枠見込み板部４２より下側の位置から室内側に向かって漸次上側に向かう斜め方向に延びる板状の第１片４３２と、第１片４３２の室内側かつ上側の端部から第２樹脂枠見込み板部４２の室外側の端部４２ａよりもやや室内側となる位置まで上側に延びる第２片４３３と、を有している。
【００２１】
樹脂枠内板部４４は、板状に形成され、板面が室内外方向を向くように配置されている。樹脂枠内板部４４は、上端部４４ａが第１樹脂枠見込み板部４１の室内側の端部４１ｂと接続され、上下方向の中間部が第２樹脂枠見込み板部４２の室内側の端部４２ｂと接続され、下部側が第２樹脂枠見込み板部４２よりも下側に突出している。
本実施形態の上枠２１の樹脂枠４には、樹脂枠内板部４４の下端部４４ｂと、第２樹脂枠見込み板部４２の室内側の端部４２ｂよりもやや室外側となる位置とを接続するように設けられた第２接続板部４４１が設けられている。第２接続板部４４１は、樹脂枠内板部４４の下端部４４ｂから室外側に向かって延びる板状の第３片４４２と、第３片４４２の室外側の端部から第２樹脂枠見込み板部４２の室内側の端部４２ｂよりもやや室外側となる位置まで上側に延びる第４片４４３と、を有している。
【００２２】
樹脂枠４には、第１樹脂枠見込み板部４１、第２樹脂枠見込み板部４２、樹脂枠外板部４３および樹脂枠内板部４４に囲まれた中空部が形成されている。また、この中空部は、２つの樹脂枠見付け板部４１２，４１３によって室内外方向に３つに分割されている。
２つの樹脂枠見付け板部４１２，４１３は、それぞれ板状に形成され、板面が室内外方向を向くように配置されている。２つの樹脂枠見付け板部４１２，４１３は、それぞれの上端部４１２ａ，４１３ａが第１樹脂枠見込み板部４１の下面と接続され、それぞれの下端部４１２ｂ，４１３ｂが第２樹脂枠見込み板部４２の上面と接続されている。
【００２３】
２つの樹脂枠見付け板部４１２，４１３を第１樹脂枠見付け板部４１２、第２樹脂枠見付け板部４１３とすると、第１樹脂枠見付け板部４１２が第２樹脂枠見付け板部４１３よりも室外側に間隔をあけて配置されている。
第１樹脂枠見付け板部４１２は、樹脂枠外板部４３よりも室内側に間隔をあけて配置されている。
第２樹脂枠見付け板部４１３は、樹脂枠内板部４４よりも室外側に間隔をあけて配置されている。第２樹脂枠見付け板部４１３は、第１樹脂枠見込み板部４１の溝部４１１における室内側の端部４１１ａよりもやや室外側に配置されている。
第１樹脂枠見込み板部４１と第２樹脂枠見込み板部４２との間における、第１樹脂枠見付け板部４１２と第２樹脂枠見付け板部４１３との間の空間は、枠芯材５が配置される枠ホロー部Ｓ４１となっている。
【００２４】
第１レール部４５は、第２樹脂枠見込み板部４２から下側に突出する第１レール外板部４５１と、第１レール外板部４５１よりも間隔をあけた室内側において第２樹脂枠見込み板部４２から下側に突出する第１レール内板部４５２と、第１レール外板部４５１と第１レール内板部４５２との間に配置され第１レール外板部４５１および第１レール内板部４５２それぞれと接続された第１レール中板部４５３と、を有している。
第１レール外板部４５１は、第１樹脂枠見付け板部４１２の鉛直方向の下側に配置されている。
第１レール中板部４５３は、第１レール外板部４５１および第１レール内板部４５２それぞれの上下方向の中間部と接続されている。
【００２５】
第１レール部４５には、第１レール外板部４５１と第１レール内板部４５２との間において第２樹脂枠見込み板部４２と第１レール中板部４５３とに挟まれた空部４５４が形成されている。この空部４５４には、第１レール部４５の長さ方向に延びて、この長さ方向に直交する断面形状が略Ｃ字形状となる第１レール芯材７１が配置されている。第１レール部４５は、障子３の上框３３（図１参照）のレール溝部（不図示）の内部に挿入されるように構成されている。
【００２６】
第２レール部４６は、第２樹脂枠見込み板部４２から下側に突出する第２レール外板部４６１と、第２レール外板部４６１よりも間隔をあけた室内側において第２樹脂枠見込み板部４２から下側に突出する第２レール内板部４６２と、第２レール外板部４６１と第２レール内板部４６２との間に配置され第２レール外板部４６１および第２レール内板部４６２それぞれと接続された第２レール中板部４６３と、を有している。
第２レール内板部４６２は、第２樹脂枠見付け板部４１３の鉛直方向の下側に配置されている。
第２レール中板部４６３は、第２レール外板部４６１および第２レール内板部４６２それぞれの上下方向の中間部と接続されている。
【００２７】
第２レール部４６には、第２レール外板部４６１と第２レール内板部４６２との間において第２樹脂枠見込み板部４２と第２レール中板部４６３とに挟まれた空部４６４が形成されている。この空部４６４には、第２レール部４６の長さ方向に延びて、この長さ方向に直交する断面形状が略Ｃ字形状となる第２レール芯材７２が配置されている。第２レール部４６は、障子３の上框３３（図１参照）のレール溝部（不図示）の内部に挿入されるように構成されている。
【００２８】
第１固定ヒレ部４７は、板状に形成され板面が室内外方向を向くように配置される第１ヒレ板部４７１と、第１ヒレ板部４７１の室内側の面から室内側に突出する複数のリブ４７２と、を有している。
第１ヒレ板部４７１は、第１固定ヒレ部４７の長さ方向に延びていて、第１樹脂枠見込み板部４１における室内外方向の中間部で、溝部４１１よりも室外側の位置から上側に突出している。
複数のリブ４７２は、第１ヒレ板部４７１の長さ方向の全長にわたって延びていて、上下方向に間隔をあけて配列されている。
【００２９】
第２固定ヒレ部４８は、樹脂枠内板部４４の上端部４４ａよりもやや下側から室内側に延びる第２ヒレ板部４８１と、第２ヒレ板部４８１の室内側の端部から室内側に向かって漸次上側に向かうように傾斜して延びる第３ヒレ板部４８２と、を有している。
第３ヒレ板部４８２の上端部４８２ａは、面状に形成され、開口部１２の内周面と面接触するように構成されている。
【００３０】
上枠２１の枠芯材５は、板状に形成され板面が上下方向を向くように配置された第１枠芯材見込み板部５１と、板状に形成され板面が上下方向を向き第１枠芯材見込み板部５１の下側に間隔をあけて配置された第２枠芯材見込み板部５２と、第１枠芯材見込み板部５１の室外側の端部５１ａと第２枠芯材見込み板部５２の室外側の端部５２ａとを連結し第２枠芯材見込み板部５２よりも下側に突出する枠芯材外板部５３と、第１枠芯材見込み板部５１の室内側の端部５１ｂと第２枠芯材見込み板部５２の室内側の端部５２ｂとを連結し第２枠芯材見込み板部５２よりも下側に突出する枠芯材内板部５４と、枠芯材外板部５３の下端部５３ｂから室外側に突出する枠芯材外側突出板部５５と、枠芯材内板部５４の下端部５４ｂから室内側に突出する枠芯材内側突出板部５６と、を有している。
【００３１】
第１枠芯材見込み板部５１には、室内側の端部５１ｂの近傍に段部５１１が形成され、段部５１１よりも室内側の部分が室外側の部分よりも下側に配置されている。第１枠芯材見込み板部５１は、樹脂枠４の第１樹脂枠見込み板部４１の下側に隙間をあけた状態で対向して配置されている。第１枠芯材見込み板部５１における段部５１１よりも室内側の部分が第１樹脂枠見込み板部４１の溝部４１１の下側に配置され、段部５１１よりも室外側の部分が溝部４１１よりも室外側に配置されている。第１枠芯材見込み板部５１は、段部５１１が第１樹脂枠見込み板部４１の溝部４１１に沿うように配置されている。
【００３２】
第２枠芯材見込み板部５２は、樹脂枠４の第２樹脂枠見込み板部４２の上側に隙間をあけた状態で対向して配置されている。第２枠芯材見込み板部５２は、板面が略水平面となるように配置されている。第２樹脂枠見込み板部４２が室内側から室外側に向かって上側に傾斜しているため、第２枠芯材見込み板部５２と第２樹脂枠見込み板部４２との隙間は、室内側よりも室外側の方が狭くなっている。第２枠芯材見込み板部５２の下面には、加熱されると発泡する加熱発泡材５２１が貼りつけられている。
【００３３】
枠芯材外板部５３は、板面が室内外方向を向き、樹脂枠４の第１樹脂枠見付け板部４１２の室内側に隙間をあけて配置されている。枠芯材外板部５３の下端部５３ｂは、樹脂枠４の第２樹脂枠見込み板部４２の上面と当接している。枠芯材外板部５３の下端部５３ｂから室外側に突出する枠芯材外側突出板部５５の下面も樹脂枠４の第２樹脂枠見込み板部４２の上面と当接している。
枠芯材外板部５３の室外側の面には、加熱されると発泡する加熱発泡材５３１が貼りつけられている。
【００３４】
枠芯材内板部５４は、板面が室内外方向を向き、樹脂枠４の第２樹脂枠見付け板部４１３の室外側に隙間をあけて配置されている。枠芯材内板部５４の下端部５４ｂは、樹脂枠４の第２樹脂枠見込み板部４２の上面と当接している。枠芯材内板部５４の下端部５４ｂから室内側に突出する枠芯材内側突出板部５６の下面も樹脂枠４の第２樹脂枠見込み板部４２の上面と当接している。
第２樹脂枠見込み板部４２が室内側から室外側に向かって上側に傾斜しているため、枠芯材外板部５３の下端部５３ｂおよび枠芯材外側突出板部５５は、枠芯材内板部５４の下端部５４ｂおよび枠芯材内側突出板部５６よりも上側に配置されている。
枠芯材内板部５４の室内側の面には、加熱されると発泡する加熱発泡材５４１が貼りつけられている。
【００３５】
下枠２２および一対の縦枠２３，２３における樹脂枠４および枠芯材５は、基本的に上枠２１の樹脂枠４および枠芯材５と同じ形態に形成されている。下枠２２は、上枠２１と略上下対称となるように形成されている。一対の縦枠２３，２３は、長さ方向が上下方向となり、上枠２１の下側に対応する側が開口部１２の内側を左右方向から臨む側となるように９０°回転させた形状に形成されている。
以下では、下枠２２、一対の縦枠２３，２３を構成する各部材は、基本的に対応する上枠２１の部材と同じ名称および符号で示している。
なお、一対の縦枠２３，２３の樹脂枠４における上枠２１の樹脂枠４の第１レール部４５および第２レール部４６に相当する部分（第２樹脂枠見込み板部４２から開口部１２の内側に向かう側に突出する部分）は、レールとして使用されないため、第１突出部４５および第２突出部４６とする。また、一対の縦枠２３，２３には、第１レール芯材７１および第２レール芯材７２が配置されていない。
【００３６】
上述しているが、本実施形態では、図２に示すように、上枠２１および下枠２２の枠芯材５と一対の縦枠２３，２３の枠芯材５とは、枠芯材連結金具６を介して互いに連結固定されている。
上枠２１の枠芯材５と一対の縦枠２３，２３の枠芯材５それぞれとを連結する枠芯材連結金具６と、下枠２２の枠芯材５と一対の縦枠２３，２３の枠芯材５それぞれとを連結する枠芯材連結金具６とは、同じものが使用されており、互いに連結する枠芯材５の向きに合わせて取付ける向きを変えるように構成されている。
ここでは、一対の縦枠２３，２３のうちの室内側から見て右側となる第１縦枠２３Ａと下枠２２とを連結する枠芯材連結金具６について説明する。
【００３７】
図５乃至図７に示すように、枠芯材連結金具６は、下枠２２の枠芯材５（図６参照）にネジなどの第１固定具６３で固定される第１固定板部６１と、第１固定板部６１とＬ字形を成すように接続され第１縦枠２３Ａの枠芯材５（図６参照）にネジなどの第２固定具６４で固定される第２固定板部６２と、を有している。
【００３８】
第１固定板部６１は、板面が長尺の矩形となる平板状に形成されている。第１固定板部６１は、板面が上下方向を向き左右方向に延びる向きで、下枠２２の枠芯材５の長さ方向の端部５ａ（図２参照）近傍に固定される。第１固定板部６１には、第１固定具６３が挿通される孔部が形成されている。
第２固定板部６２は、板面が長尺の矩形となる平板状に形成されている。第２固定板部６２は、板面が左右方向を向き上下方向に延びる向きで、第１縦枠２３Ａの枠芯材５の下端部近傍に固定される。第２固定板部６２には、第２固定具６４が挿通される孔部が形成されている。
【００３９】
図５に示すように、枠芯材連結金具６は、第１固定板部６１が、下枠２２の樹脂枠４の第１レール部４５と第２レール部４６との間において第２樹脂枠見込み板部４２の上面に沿って配置され、第２固定板部６２が第１縦枠２３Ａの樹脂枠４の第１突出部４５と第２突出部４６との間において第２樹脂枠見込み板部４２における開口部１２の中央を向く側の面に沿って配置されるように構成されている。
枠芯材連結金具６は、第１固定板部６１が下枠２２の枠芯材５における第２枠芯材見込み板部５２（図３参照）に第１固定具６３で固定され、第２固定板部６２が第１縦枠２３Ａの枠芯材５における第２枠芯材見込み板部５２（図４参照）に第２固定具６４で固定されるように構成されている。
【００４０】
第１固定具６３は、下枠２２の樹脂枠４の第２樹脂枠見込み板部４２を貫通して第２枠芯材見込み板部５２に固定されている。第２固定具６４は、第１縦枠２３Ａの樹脂枠４の第２樹脂枠見込み板部４２を貫通して第２枠芯材見込み板部５２に固定されている。
このように、第１固定板部６１が下枠２２の第２枠芯材見込み板部５２に固定され、第２固定板部６２が第１縦枠２３Ａの第２枠芯材見込み板部５２に固定されることによって、下枠２２の枠芯材５と第１縦枠２３Ａの枠芯材５とが連結されている。
【００４１】
同様に、図８に示すように、下枠２２の枠芯材５および一対の縦枠２３，２３のうちの室内側から見て左側となる第２縦枠２３Ｂの枠芯材５も枠芯材連結金具６で固定されている。なお、図８に示す枠芯材連結金具６は、下枠２２および第２縦枠２３Ｂに設けられたカバー材の下側に配置されて露出しないため、破線で示している。同様に、図９および図１１に示す枠芯材連結金具６も露出しない部分は破線で示している。
【００４２】
また、図９および図１０に示すように、上枠２１の枠芯材５と第１縦枠２３Ａの枠芯材５とを固定する場合、枠芯材連結金具６は、第１固定板部６１が上枠２１の樹脂枠４における第１レール部４５と第２レール部４６との間において第２樹脂枠見込み板部４２の下面に沿って配置され、第２固定板部６２が第１縦枠２３Ａの樹脂枠４における第１突出部４５と第２突出部４６との間において第２樹脂枠見込み板部４２の開口部１２の中央を向く側の面に沿って配置されている。
このように配置された状態で、図１０に示すように、枠芯材連結金具６は、第１固定板部６１が第１固定具６３で上枠２１の枠芯材５（第２枠芯材見込み板部５２）に固定され、第２固定板部６２が第２固定具６４で第１縦枠２３Ａの枠芯材５（第２枠芯材見込み板部５２）に固定されている。これにより、上枠２１の枠芯材５と第１縦枠２３Ａの枠芯材５とが固定される。
同様に、図１１に示すように、上枠２１の枠芯材５と第２縦枠２３Ｂの枠芯材５も枠芯材連結金具６で固定されている。
【００４３】
続いて、枠体２の壁部１１への固定構造について説明する。
上述したように、上枠２１、下枠２２および一対の縦枠２３，２３の壁部１１へ固定構造は、それぞれ異なっている。
【００４４】
図３に示すように、上枠２１は、樹脂枠４の第１固定ヒレ部４７が、壁部１１の室外側の面に室外側から対向し、複数のリブ４７２の先端部が壁部１１の室外側の面と当接している。
本実施形態では、第１固定ヒレ部４７が壁部１１の構造部１１１に室外側から固定された後に、第１固定ヒレ部４７の室外側に壁部１１の仕上材１１２が設けられている。
【００４５】
また、上枠２１は、第２固定ヒレ部４８の第２ヒレ板部４８１が開口部１２の内周面と隙間をあけて対向し、第２固定ヒレ部４８の第３ヒレ板部４８２の上端部４８２ａが開口部１２の内周面と当接した状態で、第３ヒレ板部４８２がネジなどの固定具４８５によって壁部１１に固定される。第３ヒレ板部４８２の上端部４８２ａは、開口部１２の内周面と面接触している。固定具４８５は、上枠２１の長さ方向（左右方向）に間隔をあけた複数個所のそれぞれにおいて第２固定ヒレ部４８を壁部１１に固定している。
本実施形態では、第２固定ヒレ部４８が壁部１１の構造部１１１に下側（開口部１２の内側）から固定されて、第２固定ヒレ部４８の下側に額縁１１３が設けられている。
このように上枠２１は、樹脂枠４が壁部１１に固定され、枠芯材５は壁部１１に固定されていない。
【００４６】
下枠２２は、樹脂枠４の第１固定ヒレ部４７が、壁部１１の室外側の面に室外側から対向し、複数のリブ４７２の先端部が壁部１１の室外側の面と当接している。下枠２２の第１固定ヒレ部４７は、その室外側に設けられた下枠躯体固定部材７３を貫通するネジなどの固定具７３５で壁部１１に固定されている。これにより下枠２２が壁部１１に固定されている。固定具７３５は、下枠２１の長さ方向（左右方向）に間隔をあけた複数個所のそれぞれにおいて第１固定ヒレ部４７を壁部１１に固定している。
下枠躯体固定部材７３は、断面形状がＬ字形状の長尺に形成され、Ｌ字形を構成する２片のうちの一方となる第１板部７３１と、他方となる第２板部７３２と、を有している。下枠躯体固定部材７３は、例えば、金属などで形成されている。
【００４７】
下枠躯体固定部材７３は、左右方向に延びて、第２板部７３２が第１板部７３１の上側となり、第１板部７３１の板面が室内外方向を向き、第２板部７３２の板面が上下方向を向く姿勢で、下枠２２の樹脂枠４における第１樹脂枠見込み板部４１の下面と第１固定ヒレ部４７の室外側の面とがなす角部に沿って配置されている。
【００４８】
下枠躯体固定部材７３は、上記のように配置されると、第１板部７３１が第１固定ヒレ部４７の室外側の面と対向し、第２板部７３２が第１樹脂枠見込み板部４１の下面と対向する。
本実施形態では、下枠躯体固定部材７３は、上記のような姿勢における第１板部７３１の室内側の面から室内側に突出するリブ７３３と、第１板部７３１の下端部７３１ａから室内側に突出する突出片７３４と、を有している。第１板部７３１の下端部７３１ａおよび突出片７３４は、第１固定ヒレ部４７の下端部（先端部）４７ａよりも下側に配置されている。
下枠躯体固定部材７３は、上記のように配置されると、リブ７３３の先端部が第１固定ヒレ部４７の室外側の面と当接し、突出片７３４の先端部が第１固定ヒレ部４７の下側において壁部１１の室外側の面と当接し、第２板部７３２の上面が第１樹脂枠見込み板部４１の下面と当接している。
【００４９】
下枠躯体固定部材７３は、上記のように配置され、第１板部７３１が固定具７３５で壁部１１に固定される。固定具７３５は、下枠躯体固定部材７３および下枠２２の第１固定ヒレ部４７を貫通した状態で壁部１１に固定され、これにより、下枠躯体固定部材７３および下枠２２が壁部１１に固定される。
第１板部７３１を壁部１１に固定する固定具７３５は、第１固定ヒレ部４７を貫通している。固定具７３５は、下枠躯体固定部材７３の長さ方向（左右方向）に間隔をあけた複数個所のそれぞれにおいて下枠躯体固定部材７３を壁部１１に固定している。
下枠２２における樹脂枠４の第２固定ヒレ部４８は、上枠における樹脂枠４の第２固定ヒレ部４８と同様に固定具４８５で壁部１１に固定されている。
このように下枠２２は、樹脂枠４が壁部１１に固定され、枠芯材５は壁部１１に固定されていない。
【００５０】
図４に示すように、一対の縦枠２３，２３は、それぞれの樹脂枠４の第１固定ヒレ部４７が、壁部１１の室外側の面に室外側から対向し、複数のリブ４７２の先端部が壁部１１の室外側の面と当接している。一対の縦枠２３，２３それぞれの第１固定ヒレ部４７がネジなどの躯体固定具７４３で壁部１１に固定されている。これにより一対の縦枠２３，２３が壁部１１に固定されている。
【００５１】
図１に示すように、一対の障子３，３は、室外側に配置される外障子３Ａと、室内側に配置される内障子３Ｂと、から構成されている。
一対の障子３，３は、それぞれ四方枠状に形成された框体３１と、框体３１内に配置されて支持された複層ガラス３２と、を有している。
框体３１は、左右方向に延びる上框３３および下框３４と、上下方向に延びて上框３３の両端部と下框３４の両端部と連結された戸先框３５および召合せ框３６と、を有している。以下の説明では、上框３３、下框３４、戸先框３５および召合せ框３６などの長尺の部材に対しても、それぞれが延びる方向を長さ方向とすることがある。
上框３３、下框３４、戸先框３５および召合せ框３６は、それぞれ長さ方向に延びる合成樹脂製の樹脂框３７と、それぞれ長さ方向に延びる金属製の框芯材３８と、を有している。
【００５２】
上框３３、下框３４、戸先框３５および召合せ框３６それぞれの樹脂框３７は、互いに同じ断面に形成されている。
樹脂框３７は、例えば押出材で、内部に長さ方向全体にわたって中空部（框ホロー部Ｓ３１とする）が形成されている。樹脂框３７は、長さ方向の端部３７ａ，３７ａがそれぞれ斜め４５°に切断されている。
框芯材３８は、樹脂框３７の框ホロー部Ｓ３１に挿入配置されている。框芯材３８は、樹脂框３７よりも長さ方向に若干短く形成されている。框芯材３８の長さ方向の端部は、樹脂框３７の長さ方向の端部３７ａ，３７ａよりも長さ方向の内側となるように配置されている。
【００５３】
図１に示すように、上框３３および下框３４の樹脂框３７と、戸先框３５および召合せ框３６の樹脂框３７とは、互いの端部３７ａ，３７ａを突き合わせて９０°を成すようにして溶着されている。
上框３３および下框３４の框芯材３８と、戸先框３５および召合せ框３６の框芯材３８とは、直接連結されておらず框芯材連結金具３９を介して連結されている。
下框３４には、長さ方向の両端部近傍に、下枠２２に沿って左右方向に走行可能な戸車３４１が取り付けられている。
【００５４】
次に、上述した本実施形態による建具の作用・効果について図面を用いて説明する。
火災時に、障子３の樹脂框３７や戸車３４１などの樹脂部分が溶融することなどによって障子３が枠体２の内部において下側に下がることがある。
本実施形態による建具１では、上枠２１の樹脂枠４が壁部１１に固定され、上枠２１の枠芯材５が壁部１１に固定されていないことにより、火災時に上枠２１の樹脂枠４が溶融すると、上枠２１の枠芯材５が若干下側に下がることになる。このため、開口部１２の内部において下側に下がった上枠２１の枠芯材５は、障子３の上框３３の上に載った状態となり、上枠２１の枠芯材５と障子３の上框３３との間に隙間ができることを防止することができる。
また、障子３が上枠２１の枠芯材５に上側から押さえられるため、障子３が枠体２から外れるように倒れることを防止することができる。
【００５５】
また、上枠２１および下枠２２の枠芯材５と、一対の縦枠２３，２３の枠芯材５とは、それぞれ枠芯材連結金具６を介して連結されていることにより、上枠２１の枠芯材５が下がった場合でも枠芯材５どうしが枠芯材連結金具６により枠状に連結されているため、下枠２２および一対の縦枠２３，２３から外れて開口部１２から脱落することを防止することができる。
【００５６】
以上、本発明による建具の実施形態について説明したが、本発明は上記の実施形態に限定されるものではなく、その趣旨を逸脱しない範囲で適宜変更可能である。
例えば、上記の実施形態では、建具１は引違サッシであるが、引違サッシ以外の上げ下げサッシやドアなどであってもよい。
また、上記の実施形態では、上枠２１および下枠２２の枠芯材５と一対の縦枠２３，２３の枠芯材５とは、枠芯材連結金具６を介して連結されているが、上記の形態以外の連結金具を介して連結されていてもよいし、連結されていなくてもよい。
【００５７】
また、上記の実施形態では、下枠２２は、下枠躯体固定部材７３を用いて壁部１１に固定されているが、上記以外の部材を用いて壁部１１に固定されていてもよいし、下枠躯体固定部材７３のような補強部材を用いずに壁部１１に固定されていてもよい。
また、上記の実施形態では、下枠２２の第１固定ヒレ部４７は、下枠躯体固定部材７３とともに固定具７３５で壁部１１に固定されているが、下枠躯体固定部材７３とは別にネジなどの固定具で壁部１１に固定されていてもよい。
また、上記の実施形態では、一対の縦枠２３，２３は、それぞれの樹脂枠４の第１固定ヒレ部４７がネジなどの躯体固定具７４３で壁部１１に直接固定されているが、壁部１１との間に金具などを介した状態で壁部１１に固定されてもよい。また、このような金具が設けられる場合は、金具と縦枠２３の枠芯材５とが固定されていてもよい。
【符号の説明】
【００５８】
１  建具
２  枠体
３  障子
４  樹脂枠
５  枠芯材
６  枠芯材連結金具
１１  壁部（躯体）
１２  開口部
２１  上枠
２２  下枠
２３  縦枠
【図１】
2019065499.tif 000003
【図２】
2019065499.tif 000004
【図３】
2019065499.tif 000005
【図４】
2019065499.tif 000006
【図５】
2019065499.tif 000007
【図６】
2019065499.tif 000008
【図７】
2019065499.tif 000009
【図８】
2019065499.tif 000010
【図９】
2019065499.tif 000011
【図１０】
2019065499.tif 000012
【図１１】
2019065499.tif 000013